(57)【要約】  屋根板がボデーを含んでいて、前記ボデーが上面と、下面と、上端部と、下端部と、第一側面と、第二側面とを有している。前記ボデーは前記第一側面と前記第二側面との間の距離として規定される幅であって、かつ前記上端部と前記下端部との間の距離として規定される長さである。好適な実施の形態において、屋根板は第一側面に取り付けられたウォーターダイバータタブ及び第二側面に隣接した凹部とを含んでいて、そのウォーターダイバータタブは下方に隣接する屋根板の最上面に雨水を導入するためのものであり、その凹部はウォーターダイバータタブを連結状態に受容するためのものである。第二側面に取り付けられたアンカタブは屋根板の下端部を締めつけるようになっている。
2007528462.tif 000002
【特許請求の範囲】
【請求項１】
屋根に取り付けるために形成された屋根板であって：
第一側壁面及び第二側壁面とを有するボデーと；
前記第一側壁面に取り付けられたウォーターダイバータタブと；
前記第二側壁面に取り付けられたアンカタブと；
を具備する屋根板。
【請求項２】
前記第二側壁面が横方向に隣接した屋根板のウォーターダイバータタブを受容するためのウォーターダイバータタブ開口部を含んでいる、請求項１に記載の屋根板。
【請求項３】
前記第一側壁面が横方向に隣接した屋根板のアンカタブを受容するためのアンカタブ開口部を含んでいる、請求項２に記載の屋根板。
【請求項４】
前記屋根板が：
ウォーターダイバータタブ停止板と；
前記ウォーターダイバータタブ停止板と前記第二側壁面との間のスペースにより形成されているウォーターダイバータタブ凹部と；
をさらに備えている、請求項３に記載の屋根板。
【請求項５】
前記ウォーターダイバータタブが：
水を導くための基部と；
前記ウォーターダイバータタブを横方向に隣接する屋根板のウォーターダイバータタブ凹部に取り付けるためのリップと；
を備えている、請求項４に記載の屋根板。
【請求項６】
前記ボデーから下向きに延伸する複数のブレースをさらに具備している、請求項１に記載の屋根板。
【請求項７】
前記ボデーから下向きに延伸し、前記複数のブレースを接続しているクロスバーをさらに備えている、請求項６に記載の屋根板。
【請求項８】
前記複数のブレース及び前記第一側壁面がウェッジ形状部分を備えている、請求項６に記載の屋根板。
【請求項９】
水分が前記屋根板の下にたまるのを防止するための、第二側壁面に隣接したドレンを備えている、請求項１に記載の屋根板。
【請求項１０】
ボデーとウォーターダイバータタブとを具備している、屋根に取り付けるための屋根板であって：
前記ボデーが上面と、下面と、上端部と、下端部と、第一側面と、第二側面とを有していて、前記ボデーは前記第一側面と前記第二側面との間の距離として規定される幅であって、かつ前記上端部と前記下端部との間の距離として規定される長さであり；
前記ウォーターダイバータタブは、前記屋根板を横方向に隣接する屋根板に取り付けるための前記第一側面に取り付けられている；
屋根板。
【請求項１１】
前記ボデーが、横方向に隣接する屋根板のウォーターダイバータタブを受容するための、前記第二側面に隣接した凹部をさらに備えている、請求項１０に記載の屋根板。
【請求項１２】
前記ウォーターダイバータタブが：
水を導くための基部と；
前記ウォーターダイバータタブを横方向に隣接する屋根板のウォーターダイバータタブ凹部に取り付けるためのリップと；
を備えている、請求項１１に記載の屋根板。
【請求項１３】
前記第一側面から下向きに延伸している第一側壁面と、前記第二側面から下向きに延伸している第二側壁面とをさらに具備していて、前記凹部が前記第二側壁面に隣接している、請求項１２に記載の屋根板。
【請求項１４】
前記第二側壁面がウォーターダイバータタブ開口部をさらに備えていて、前記第一側壁面が、アンカタブ開口部を備えている、請求項１３に記載の屋根板。
【請求項１５】
前記屋根板を取り付けるための、前記第二側面に取り付けられたアンカタブをさらに具備していて、前記アンカタブが留め具を受容するべく形成されている、請求項１４に記載の屋根板。
【請求項１６】
前記ボデーから下向きに延伸しているブレースをさらに具備する、請求項１５に記載の屋根板。
【請求項１７】
前記ブレース及び前記第一側壁面が、ウェッジ形状部分を備えている、請求項１６に記載の屋根板。
【請求項１８】
屋根板の据付け方法であって：
少なくとも一つの留め具を第一屋根板の上端部に挿入し、そして少なくとも一つの留め具を第一屋根板の第一側面から延伸しているアンカタブに挿入することにより、第一屋根板を基礎面に取り付ける段階と；
第二屋根板の第二側面に接続されたウォーターダイバータタブを前記第一屋根板の前記第一側面おけるウォーターダイバータタブ開口部に挿入することにより、前記第二屋根板を前記第一屋根板に連結する段階と；
少なくとも一つの留め具を前記第二屋根板の上端部に挿入し、そして少なくとも一つの留め具を前記第二屋根板の第一側面から延伸しているアンカタブに挿入することにより、前記第二屋根板を前記基礎面に取り付ける段階と；
を含んでいる屋根板の据付け方法。
【請求項１９】
前記連結する段階が、前記第一屋根板のアンカタブを前記第二屋根板の第二側面におけるアンカタブ開口部に入れ子にする段階をさらに含んでいる、請求項１８に記載の屋根板の据付け方法。
【発明の詳細な説明】
【技術分野】
【０００１】
本発明は、建築材料を改善すること、特に強風に対して抵抗力を必要とする屋根ふきに使用するための屋根板に関するものである。
【背景技術】
【０００２】
米国における屋根ふき用屋根板の大部分は、高価であって、アスファルトでコーティングした建築材料の薄いシートで作られていて、荒れた天候から家の内部を防護するために重複した列で使用されている。対照的に、より高価で“特別”の屋根板は従来天然スレート、粘土、木材及びコンクリートを含めた厚い多数の天然複合材で作られてきた。最近、ポリマー技術の進歩が新しいクラスの“合成物質”の屋根板を可能にしていて、より高価な天然材料の外見が射出成型した合成物質の屋根板により模疑できるようになり、全体据付費も時として安価なものになっている。
【０００３】
従来技術における合成物質の屋根板は、一般にほぼ長方形状であって、ほぼ平坦な上面と下面とを有している。これらのタイプの屋根板は、通常屋根の“軒”に平行に屋根の底部に沿って、屋根板の水平な第一列に取り付けることにより据付けられている。屋根板は、隣接している屋根板の間に狭いギャップあるいは“キー溝”をもたせて、一回について一枚の屋根板を個々に取り付けられている。従来技術における屋根板において、屋根板の連続する列各々は、前の屋根板の列に対して少なくとも５０％重複されていて、どのような降雨も屋根板の列から次の列へ屋根を滝のように落ちるようになっており、従って、屋根から雨どいに安全に落下あるいは建物から遠ざかるまで、雨水は構造体の最上部の、尾根の屋根板から、列から列へと屋根板の表面を横切って下降している。最下列の屋根板と次の列の屋根板とを少なくとも５０％重複することが、屋根構造体を下降する雨水が屋根板間のキー溝を介して漏れないことを保証していて、さもないと雨水が屋根構造体の基礎（基礎材料又はルーフデッキ）のいずれかに漏洩するリスクがあって、重複させることは屋根付き構造体の内部及び住人を保護するようになっている。
【０００４】
広く受け入れられてしまっているけれども、従来技術における屋根板と据付方法とは多くの欠点がある。各屋根板の多くの部分が、屋根の基礎材料をキー溝への雨水の流入から保護するために必要とされる水平方向の重複に費やされている。このことが、従来技術における屋根板により提供される実際の露出面積の割合を全サイズの約５０％制限していて、従って屋根から雨水を落下させるのに必要とされる屋根ふき材料を約二倍に増加させている。さらに、屋根板の水平方向の列を屋根表面全体を横切って整列させることは非常に困難である。正しく軒に平行になっていない不揃いで傾いた単一の屋根板は、次に隣接する屋根板の不整列をもたらしている。
【発明の開示】
【発明が解決しようとする課題】
【０００５】
従って、従来技術における欠点を克服した改善された屋根板の必要性がある。
【課題を解決するための手段】
【０００６】
好適な実施の形態において、本発明は屋根に取り付けるために形成された屋根板を含んでいる。屋根板は、好ましくは第一側壁面及び第二側壁面とを有しているボデーと、第一側壁面に取り付けられたウォーターダイバータタブと、第二側壁面に取り付けられたアンカタブとを有している。本発明は、さらに好適な実施の形態により作った屋根板の据付け方法も含んでいる。屋根板の据付け方法が：少なくとも一つの留め具を第一屋根板の上端部に挿入し、そして少なくとも一つの留め具を第一屋根板の第一側面から延伸しているアンカタブに挿入することにより、第一屋根板を基礎面に取り付ける段階と；第二屋根板の第二側面に接続されたウォーターダイバータタブを前記第一屋根板の前記第一側面おけるウォーターダイバータタブ開口部に挿入することにより、前記第二屋根板を前記第一屋根板に連結する段階と；少なくとも一つの留め具を前記第二屋根板の上端部に挿入し、そして少なくとも一つの留め具を前記第二屋根板の第一側面から延伸しているアンカタブに挿入することにより、前記第二屋根板を前記基礎面に取り付ける段階と；を含んでいる。
【発明を実施するための最良の形態】
【０００７】
図１は、本発明の好適な実施形態により作られた屋根板１００を図示している。屋根板１００はボデー１０１、アンカタブ１１４及びウォーターダイバータタブ１１６を有している。ボデー１０１は上面１０２と、下面１０３（図３に図示）と、下端部（“元口”）１０４と、上端部（“未口”）１０６と、第一側面１０８と第二側面１１０とを有している。屋根板１００は、好ましくは未口１０６に隣接した一つ以上の留め具受け口部分１１２を含んでいる。留め具受け口部分１１２は、くぎ又はねじのような一般的な留め具を用いて屋根板１００の上端部１０６を屋根基礎材料及びルーフデッキに取り付けるのに使用することができる。特に好適な実施形態において、屋根板１００が第一側壁面１０９及び第二側壁面１１１を有していて、第一側壁面１０９は第一側面１０８に隣接しそこから下向きに延伸していて、第二側壁面１１１は第二側面１１０に隣接しそこから下向きに延伸している。屋根板１００は、それぞれ下端部１０４及び上端部１０６から下向きに延伸している下端壁面１１３及び上端壁面１１５を含んでいる。
【０００８】
好適な実施の形態において、屋根板１００は合成材料で作られている。特に好適な実施の形態において、屋根板１００は適切なフレキシビリティーと弾力性とを備えた一つ以上のプラスチックで作られていて、屋根板１００の据付け時に、標準の屋根釘又は標準の屋根ねじを使用することができるようになっている。屋根板１００を製作するために選択された材料は上面１０２に選択した質感をもたらすことを可能にしている。例えば屋根板１００は、スレート、陶磁器タイル、木材ワレ、タイル又はコンクリートタイルの屋根板のような質感を含んでいる。ポリエチレンベースのプラスチックは、建築材料として好適なものである。合成材料は好適なものであるけれども、例えば他のポリマ、金属、陶磁器、コンクリート及びセラミックのような別の成形可能な材料が使用されてもよい。
【０００９】
図２−４において、屋根板１００は、好ましくは第二側面１１０に接続したアンカタブ１１４と、第一側面１０８に接続したウォーターダイバータタブ１１６とを含んでいる。アンカタブ１１４は、好ましくは釘又はねじのような適切なアンカを受容するべく形成されていて、そして屋根板１００を屋根基礎材料に取り付けるべく留め具受け口部分１１２に使用されている。アンカタブ１１４はビルトイン式“ハリケーンクリップ”を形成していて、強風に対する屋根板１００の抵抗力を改善している。ウォーターダイバータタブ１１６は好ましくはベース１１８と、ベース１１８から上向きに延伸している“リップ”１２０を含んでいる。ウォーターダイバータタブ１１６は、リップ１２０と第一側壁面１０９との間に、水をためる“雨どい”を形成している。
【００１０】
好適な実施の形態において、ウォーターダイバータタブ１１６のリップ１２０及び第二側壁面１１１は、横方向に隣接した屋根板１００ａと１００ｂとの間で連結部分を形成するべく作られている。ウォーターダイバータタブ１１６は、好ましくは横方向に隣接した屋根板の第二側壁面１１１におけるウォーターダイバータタブ開口部１１７により受容されている。ウォーターダイバータタブ１１６のリップ１２０は、好ましくは横方向に隣接した屋根板におけるウォーターダイバータ凹部１１９に受容されている。凹部１１９は、好ましくは第二側壁面１１１とタブ停止板１２１とで境界になっている。タブ停止板１２１は下面１０３に接続されていて、好ましくはウォーターダイバータタブ開口部１１７全長にわたって延在している。アンカタブ１１４は、好ましくは横方向に隣接した屋根板１００の第一側壁面１０９におけるアンカタブ開口部１２２により受容されている。
【００１１】
図５−７において、ウォーターダイバータタブ１１６と、横方向に隣接する屋根板１００のアンカタブ１１４との係合によりもたらされる連結部分が図示されている。据付け中において、留め具１３３を留め具受け口部分１１２ｂに位置決めすることにより、かつアンカタブ１１４ｂを通すことにより、固定された屋根板１００ｂは基礎面２００に取り付けられる。続いて、自由な屋根板１００ａのリップ１２０ａが固定された屋根板１００ｂのウォーターダイバータ開口部１１７ｂを介して挿入される。自由な屋根板１００ａは、続いて基礎面２００に接触する位置に回転される。自由な屋根板１００ａが回転されるに従って、リップ１２０ａは第二側壁面１１１ｂと固定された屋根板１００ｂのタブ停止板１２１ｂとの間でウォーターダイバータタブ凹部１１９に受容される。同時に、アンカタブ１１４及び留め具１３３が自由な屋根板１００ａの第一側壁面１０９ａにおけるアンカタブ開口部１２２に受容される。自由な屋根板１００ａは、留め具受け口部分１１２ａとアンカタブ１１４ａとを介して留め具１３５を設置することにより、所定位置に固定することができる。従って、締め付けられたアンカタブ１１４ｂは隣接する屋根板１００ａ，１００ｂの下端部１０４ａ，１０４ｂの両方を締め付けるべく作用している。
【００１２】
このようにして、横方向に隣接した屋根板１００ａ及び１００ｂはウォーターダイバータタブ１１６とアンカタブ１１４とを使用して“連結する”ことができ、自由な屋根板１００ａの四すみが基礎面２００に取り付けられるようになっている。さらに、図７に図示するように、連結されたウォーターダイバータタブ１１６ａとアンカタブ１１４ｂとは、協働して隣接する屋根板１００ａと１００ｂとの間にほぼ連続的な雨どいを形成している。横方向に隣接した屋根板１００ａ及び１００ｂとの間の連結は降雨と強風とに対してすぐれた抵抗力を提供している。
【００１３】
連結構造配置は、従来技術における隣接する屋根板の大部分を水平方向に重ね合わせることの必要性を省いている。隣接している屋根板１００は水平方向に大幅に重ね合わせることなく取り付けることができ、各屋根板により必要とされる全表面積の割合としての各屋根板により提供される露出面を最大化できるようになっている。各屋根板により提供される露出面積を最大化することは、屋根の所定面積をおおうのに必要とされる屋根板の数を減少させることになる。屋根板の合計露出面積割合を最大化することは、屋根の所定面積をおおうのに必要とされる原材料を低減することになる。屋根板当りのより大きな露出面及びより大きな割合は、屋根ふき用屋根板の撥水目的を達成するために原材料の有効利用を提供するものとなっている。
【００１４】
図３において屋根板１００は、好ましくは複数のブレース１２４を含んでいる。ブレース１２４は、好ましくは底面１０３から下向きに延伸していて、屋根板１００の全長の一部分に延伸している。ブレース１２４は、建築業者が屋根板１００上に立つ際の重量のような保持荷重による圧縮による衝撃、及び推積物又は雨霰による衝撃に対して抵抗力を強化している。図３において３本のブレース１２４が図示されているけれども、ブレース１２４の数は多くても少なくともよくて、そしてこれらのブレースの構造形状は屋根板１００の下端部１０４にすべてが直交している必要はない。
【００１５】
各屋根板１００は、好ましくは下端壁面１１３においてウォーターダイバータ凹部の近傍に小さなドレン１２１を含んでいる。ドレン１２１は、ウォーターダイバータタブ１１６とアンカタブ１１４とにより保持された水が屋根板１００の下にたまるのを防止するようになっている。屋根板１００は、屋根板１００を水平方向に横切っているクロスバー１２６を含んでいてもよい。クロスバー１２６は屋根板１００に剛性を与えそして、下端部１０４が上昇気流又は真空により持ち上げられる際の水の侵入を防止するようになっている。上昇気流又は真空が下端部１０４を持ち上げる場合クロスバーの底部は基礎構造体に隣接したままである。
【００１６】
好適な実施の形態において、屋根板１００は段付き形状となっている。図１０は屋根板１００の第一側壁面１０９の立面図であってウォーターダイバータタブ１１６を省いてある。第一側壁面１０９は、好ましくはウェッジ形状の上部分１２８、ほぼ水平な段１３０及び薄い下部分１３２を有している。第一側壁面１０９の段付き形状は、ウェッジ形状の上部分１２８が屋根板１００を基礎面に支持するように形成されている。図８及び９に図示するように、段１３０は隣接した下の列の屋根板１００の上端部１０６に置くべく形成されている。このようにして、屋根板１００を下の列の屋根板の頂部に簡単に置くことにより、屋根板１００は縁の誤差なく対応する下の列の屋根板に容易に据付けることができる。段付き側壁面１０９により提供される自動整列は現場での屋根板の次の列へ重ね合わせる据付けを容易なものにしている。特に好適な実施の形態において、側壁面１０９，１１１及びブレース１２４は、屋根板１００を基礎面から角度を付けて離間して調節するために、最上面１０２に対して角度が付いている。詳しくは、ブレース１２４が側壁面１０９，１１１のウェッジ形状の上部分に対して角度が付いている。段付き形状は、ウォーターダイバータタブ１１６を隣接する屋根板に挿入することも容易にしている。
【００１７】
据付け操作を容易にすることに加えて、屋根板１００の段付き形状は、従来の長方形屋根板の重ね合わせ据付けに必要なウェッジ形状凹部又は“ギャップ”をも省くことができる。好適な実施の形態において、ウェッジ形状の上部分１２８は、標準的な平坦な長方形屋根板に備えられているスペース又は“ギャップ”をほぼ占有するべく形成されている。このようにして、ウェッジ形状の上部分１２８は屋根板１００の下側を有効にシールすることができる。同時に側壁面１０９，１１１は、従来の“スターター（starter）”屋根板１３４を使用できるように形状化されていて、この“スターター（starter）”屋根板は屋根板１００の下側と屋根表面２００との間のスペースを省略したものであって、そのスペースは屋根表面２００の軒に平行な水平な屋根板の第一列における段付き側壁面１０９，１１１により形成されるものである。
【００１８】
図１１は複数の屋根板１００の好適な配置を図示している。本発明により作られた屋根板に関して多くの据付け方法及び配置形状があることを理解できるであろう。好適な実施の形態において屋根板は、最初に適切な留め具及びアンカタブ１１４を用いて第一屋根板１００ａ下部を基礎材料に取り付けることにより、設置される。続いて、第一屋根板の上部左すみが、適切な留め具を一つ以上の、好ましくは二つの留め具受け口部分１１２にねじ込むことにより、取りつけられる。続いて第二屋根板１００ｂが、第一屋根板１００ａの第二側壁面１１１ａの下にウォーターダイバータタブ１１６ｂをスライドさせることにより、第一屋根板１００ａに隣接して位置決めされる。続いて第二屋根板１００ｂは第一屋根板１００ａに隣接した位置に“連結”される。第一屋根板１００ａの据付けは、適切な留め具を一つ以上の留め具受け口部分１１２にねじ込むことにより、第一屋根板１００ａの上端部１０６ａを取り付けて完了する。この据付けプロセスを通して、第二屋根板１００ｂのウォーターダイバータタブ１１６ｂは第一屋根板１００ａのウォーターダイバータタブ凹部１１９の中に保持されている。隣接する屋根板の連結プロセスは同一列における後続する屋根板１００に対して繰り返される。屋根板１００の後続する列は、好ましくは垂直な段１３０を用いて第一列に対して位置決めされる。
【００１９】
本発明は、その目的を実行するのに適切なものであって、前述した固有の利点を備えている。本発明は好適な実施の形態を用いて説明されてきたけれども、当業者において容易に思いつく種々の変更がなされてもよくて、かつそれらは請求項に開示した本発明の精神に包含されるものである。
【図面の簡単な説明】
【００２０】
【図１】図１は、本発明の好適な実施形態により作られた屋根板の平面図である。
【図２】図２は、本発明の好適な実施形態により作られた屋根板の上から見た斜視図である。
【図３】図３は、図１における屋根板の下から見た斜視図である。
【図４】図４は、図３における屋根板の下端部の立面図である。
【図５】図５は、二枚の屋根板の下端部の立面図であって、組立中のものである。
【図６】図６は、二枚の屋根板の下端部の立面図であって、組立中のものであり、部分的に切断して組合わせたウォーターダイバータタブとアンカタブとを図示している。
【図７】図７は、二枚の屋根板の部分的に切断した平面図であって組立中のものであり、部分的に切断して組合わせたウォーターダイバータタブとアンカタブとを図示している。
【図８】図８は、本発明により作られた垂直に重ねた二枚の屋根板の第二側面の立面図である。
【図９】図９は、図８における屋根板の第一側面の立面図である。
【図１０】図１０は、図８における屋根板の一つの第一側面の断面図であって、ウォーターダイバータタブは省いてある。
【図１１】図１１は、本発明の好適な実施形態により作った複数の屋根板を組立てた平面図である。
【図１】
2007528462.tif 000003
【図２】
2007528462.tif 000004
【図３】
2007528462.tif 000005
【図４】
2007528462.tif 000006
【図５】
2007528462.tif 000007
【図６】
2007528462.tif 000008
【図７】
2007528462.tif 000009
【図８】
2007528462.tif 000010
【図９】
2007528462.tif 000011
【図１０】
2007528462.tif 000012
【図１１】
2007528462.tif 000013
【国際調査報告】
2007528462.tif 000014